(57)【特許請求の範囲】
【請求項１】
アンテナ装置であって、
−無線周波信号の形態のデータを送信できるアンテナ（Ａ）と、
−縦続接続された前置増幅器（３３）及び第１トランジスタ（３６）を含む送信機（３２）であって、この送信機が送信すべき前記データを含む無線周波信号を前記アンテナに提供することができる送信機と、
前記アンテナと前記送信機との間に接続され、前記アンテナと前記送信機の間の結合を達成することのできる位相遅れ回路（４２）を含む結合手段（３０）とを含み、
この装置が、前記結合手段がさらに、前記アンテナが送信段階にある（またはない）時前記第１トランジスタをオン状態（またはオフ状態）に切り換えることができるように、システムの接地と前記第１トランジスタのソース端子の間に接続されたスイッチング手段（４３）を含み、
前記スイッチング手段（４３）が、前記第１トランジスタの前記ソース端子と前記接地との間に直接接続され、前記アンテナが送信段階にある（またはない）という事実を表す第１制御信号（ＶＴ）によって制御され、それに応答して、前記第１トランジスタ自体がオン状態（またはオフ状態）になるように、前記オン状態（または前記オフ状態）になることができる第２トランジスタ（４８）を含むことを特徴とするアンテナ装置。
【請求項２】
前記第１トランジスタ（３６）がＮ型導通性チャネルを有する電界効果トランジスタによって形成されることを特徴とする、請求項１に記載のアンテナ装置（２９）。
【請求項３】
前記スイッチング手段（４３）がさらに、
−前記第２トランジスタ（４８）のドレイン及びソース端子の間に並列に接続される第１コンデンサ（４６）と、
−一方で前記第１コンデンサ（４６）と前記第２トランジスタの間の接続のノードに接続され、他方で電源端子に接続される第１抵抗（５２）とを含むことを特徴とする、請求項１に記載のアンテナ装置。
【請求項４】
前記第２トランジスタ（４８）がＮ型導通性チャネルを有する電界効果トランジスタによって形成されることを特徴とする、請求項３に記載のアンテナ装置（２９）。
【請求項５】
前記位相遅れ回路（４２）が第１インダクタ（５５）と第２及び第３コンデンサ（５４、５６）を含むことを特徴とする、請求項１に記載のアンテナ装置（２９）。
【請求項６】
前記結合手段（３０）がさらに、前記送信機（３２）と前記位相遅れ回路（４２）の間に直接に接続された調整手段（４４）を含むことを特徴とする、請求項１に記載のアンテナ装置。
【請求項７】
前記調整手段（４４）が第４コンデンサ（６０）と第２インダクタ（５８）を含むことを特徴とする、請求項６に記載のアンテナ装置（２９）。
【請求項８】
前記送信機がさらに、
−前記前置増幅器（３３）と前記第１トランジスタ（３６）の間に直列に接続された第５コンデンサ（３４）と、
−前記システムの接地と前記第１トランジスタ及び前置増幅器の接続のノードとの間に接続された第１高インピーダンス（４０）と、
−電源端子と前記システムの接地との間で前記第１トランジスタと直列に接続された第３インダクタ（３８）とを含むことを特徴とする、請求項１に記載のアンテナ装置（２９）。
【請求項９】
前記送信機（３２）がさらに、前記第１高インピーダンス（４０）と前記システムの接地の間に直接に接続された電圧源（７４）を含み、この電圧源が、前記第１トランジスタ（３６）が前記オン状態になるような一定の信号（Ｖｂｉａｓ）を提供することができることを特徴とする、請求項８に記載のアンテナ装置（２９）。
【請求項１０】
前記送信機（３２）がさらに第４インダクタ（３８ａ）、第２高インピーダンス（４０ａ）及び第６コンデンサ（３４ａ）を含み、これらの構成要素が、前記アンテナ（Ａ）が送信段階にある（またはない）時前記スイッチング手段（４３）が前記前置増幅器（３３）を起動状態（または停止状態）に切り換えることができることを特徴とする、請求項８に記載のアンテナ装置（２９）。
【請求項１１】
前記前置増幅器（３３）が、前記第２トランジスタ（４８）自体がオン状態（またはオフ状態）にある時前記オン状態（または前記オフ状態）になることのできる第３トランジスタによって形成され、前記第３トランジスタが、Ｎ型導通性チャネルを有する電界効果トランジスタによって形成されることを特徴とする、請求項１０に記載のアンテナ装置（２９）。
【請求項１２】
さらに、前記アンテナが受信状態にある時前記アンテナに結合され、前記アンテナが受信状態にない時前記送信機から保護される受信機（３１）を含むことと、前記アンテナが前記送信機（３２）に結合されない場合、前記送信機が前記受信機から分離されるように、前記受信機が前記結合手段（３０）と前記アンテナ（Ａ）の間に接続され、前記アンテナと前記受信機の間の最適な結合を保証することとを特徴とする、請求項１に記載のアンテナ装置（２９）。
【請求項１３】
前記送信機（３２）、前記結合手段（３０）、前記アンテナ（Ａ）及び前記受信機（３１）が１つの半導体基板中にモノリシックな形で製作されることを特徴とする、請求項１２に記載のアンテナ装置（２９）。
【発明の詳細な説明】
【０００１】
【発明の属する技術分野】
本発明はアンテナ装置に関する。
【０００２】
【従来の技術】
従来、アンテナ、受信機及び送信機を含み、（送信段階で）送信機、（受信段階で）受信機とアンテナを交互に結合できるアンテナ装置が使用されている。
このアンテナ装置において直面する１つの問題は、送信機とアンテナ間の最適な結合を達成することである。
【０００３】
本明細書の図１を参照すると、Ｍｏｔｏｒｏｌａ  Ｉｓｒａｅｌの英国特許第２，３２３，７９９号は、アンテナＡ、送信機（後者の出力には電力増幅器１６が含まれる）、及びアンテナＡと送信機を結合する手段１８を含むアンテナ装置１０を開示する。
結合手段１８は、以下より詳細に説明されるように、増幅器１６の出力インピーダンスを変換することのできる送信線路によって形成される。線路１８は位相遅れ回路として動作することに注意されたい。
【０００４】
線路１８は、送信機が送信段階にない場合（すなわち、受信段階で）、後者をアンテナＡから隔離することに注意されたい。この場合、電力増幅器１６は信号を提供しないよう制御され、その出力インピーダンスは極めてリアクタンス性の性質を有する。すなわち線路１８は、アンテナＡから送信機に向かって見たインピーダンスが開回路（高インピーダンス）のものに対応するよう配置される。別言すれば、送信機はアンテナＡから隔離され、アンテナＡが受信する無線周波信号は受信機に提供される。
【０００５】
アンテナ装置１０の欠点の１つは、この装置の場合かなりの空間を必要とする送信線路を含むことである。
アンテナ装置１０のもう１つの欠点は、電力増幅器１６を制御することのできる追加回路の製作を必要とすることであるが、これは空間の要求、重量、電力消費、及びひいては製造と使用の費用を制限したいという普通の産業上の関心に反するものである。
【０００６】
本説明の図２を参照すると、文書「パルス動作モードによる移動電話電力増幅器のドレイン電源スイッチング」、Ｓｉｅｍｅｎｓ応用ノートＮｏ．００９、ディスクリート及びＲＦ半導体部門、Ａ０３版は、制御手段２５と（Ｐ型チャネルの）電界効果トランジスタ２８を含む制御回路２３を説明する。トランジスタ２８は（電源電圧Ｖｂを受け取る）電源端子と電力増幅器１６の電源端子を介したシステムの接地との間に接続される。アンテナＡが送信段階にある時、増幅器１６は最小の電力損失で送信機からアンテナＡに、十分に強力な無線周波信号（ＲＦ）を提供できるように、トランジスタ２８が制御手段２５によって制御される。
【０００７】
さらに、本発明の出願人が観察したところによると、アンテナＡが送信段階にある時、無線周波信号の提供は電力損失の見地から最適ではなく、アンテナＡが送信段階にない時、送信機とアンテナＡの隔離は、増幅器１６の出力インピーダンスが変化しうるため最適ではない。
【０００８】
【発明が解決しようとする課題】
本発明の１つの目的は、アンテナと送信機を含むアンテナ装置を提供することであり、この装置は上記の欠点を克服し、送信機とアンテナ間の最適な結合、すなわち、ＲＦ電力損失を最小にする結合を提供する。
本発明の別の目的は、追加構成要素（例えばＰ型チャネルの電界効果トランジスタ）に頼ることなく、送信機の電力増幅器の制御を提供できるアンテナ装置を提供することである。
【０００９】
本発明の別の目的は、電気通信で従来からある、最小の複雑さ、低電力消費、小型さ及び低費用の基準に答えるアンテナ装置を提供する。
【００１０】
【課題を解決するための手段】
これらの目的は、他のものに加えて、アンテナ装置であって、無線周波信号の形態のデータを送信できるアンテナと、縦続接続された前置増幅器及び第１トランジスタを含む送信機であって、この送信機が送信すべき前記データを含む無線周波信号を前記アンテナに提供することができる送信機と、前記アンテナと前記送信機との間に接続され、前記アンテナと前記送信機の間の結合を達成することのできる位相遅れ回路を含む結合手段とを含み、この装置が、前記結合手段がさらに、前記アンテナが送信段階にある（またはない）時前記第１トランジスタをオン状態（またはオフ状態）に切り換えることができるように、システムの接地と前記第１トランジスタのソース端子の間に接続されたスイッチング手段を含むことを特徴とするアンテナ装置によって達成される。
【００１１】
【発明の実施の形態】
図３を参照すると、アンテナ装置２９にはアンテナＡ、送信機３２及び結合手段３０が含まれる。アンテナ装置２９には受信機３１が含まれることもある。しかし、当業技術分野に熟練した者が気付くように、受信機３１の実施形態は、送信機３２とアンテナＡ間の結合、すなわち結合手段３０の動作とは無関係である。
【００１２】
送信機３２には、処理ユニット（図３では図示せず）に接続された入力端子３２１が含まれるが、これは通常、送信段階でアンテナＡが送信しなければならないデータを表す電圧Ｖｄａｔａを受信することができる。送信機３２にはまた、以下説明されるように、結合手段３０に接続された２つの接続端子３２２及び３２３が含まれる。
【００１３】
送信機３２は、十分に強力な無線周波信号ＲＦをアンテナＡに提供するよう配置される。この目的で、送信機３２には、前置増幅器３３、コンデンサ３４、インダクタ３８、高インピーダンス４０及び（この例ではＮ型チャネルの）電界効果トランジスタ３６が含まれる。
前置増幅器３３はトランジスタ３６と縦続接続される。トランジスタ３６のゲート端子は、高インピーダンス４０を通じてシステムの接地に接続されると共に、前置増幅器３３とコンデンサ３４を通じて送信機３２の端子３２１に接続される。トランジスタ３６のドレイン端子は送信機３２の端子３２２に接続されると共に、インダクタ３８を通じて電源端子に接続され、電源電圧Ｖｂを受け取る。トランジスタ３６のソース端子は送信機３２の端子３２３に接続される。
【００１４】
コンデンサ３４によって前置増幅器３３から出る信号が濾波され、無線周波信号を提供する（後者はトランジスタ３６を制御する）。
受信機３１には、アンテナＡが受信段階で受信するデータを受信できるようにアンテナＡに接続された入力端子３１１と、受信データを含む電圧Ｖｏｕｔを提供できるような出力端子３１３とが含まれる。受信機３１にはまた、第１制御手段（図３では図示せず）に接続された制御端子３１２が含まれ、受信機３１とアンテナＡの結合を制御することのできる電圧ＶＲを受信する。第１制御手段は、送信機３２に接続された処理ユニットによって形成される。
【００１５】
受信機３１は、アンテナＡが受信段階にある時アンテナＡに結合され、アンテナＡが受信段階にない時送信機３２から保護されるよう配置される。
例示としてのみ、受信機３１の実施形態が、図４に関連して説明されるが、そこでは３つのコンデンサ６２、６４及び６９、３つの高インピーダンス６６、６７及び６８、低雑音増幅器７２及び、（この例ではＮ型チャネルの）電界効果トランジスタ７０が示される。図３に関連して説明されたものと同一の図４の要素は同じ参符で示されていることに注意されたい。
【００１６】
図４が示すように、増幅器７２、コンデンサ６９、トランジスタ７０及びコンデンサ６４は、入力端子３１１と出力端子３１３の間に直列に接続されている。トランジスタ７０のゲート端子は抵抗６６を通じて制御端子３１２に接続されており、このトランジスタのドレイン及びソース端子は、それぞれ高インピーダンス６７及び６８を通じて、電源電圧Ｖｂを受け取ることのできる電源端子に接続される。コンデンサ６２は制御端子３１２とシステムの接地の間に接続される。図４に示される例では、アンテナが増幅器７２に接続されなければならない（またはされる必要がない）、すなわち、受信段階にある（またはない）場合、電圧ＶＲはハイ状態すなわち「１」（またはロー状態すなわち「０」）に等しい。従って、アンテナＡが受信段階にない場合（すなわち、送信段階にある場合）、受信機３１は送信機３２から隔離される。これによって、送信機３２からアンテナＡに提供される無線周波信号に関する受信機の保護が保証される。
【００１７】
再び図３を参照すると、結合手段３０には、第２制御手段（図３では図示せず）に接続された制御端子３０４が含まれ、送信機３２とアンテナＡの結合を制御することのできる電圧ＶＴの受信が可能である。第２制御手段は受信機３１に接続された処理ユニットによって形成され、この場合、ＶＴ＝ＶＲであることに注意されたい。
【００１８】
図３に示される例の場合、アンテナＡが送信段階になければならない（またはある必要がない）場合、電圧ＶＴはハイ状態すなわち「１」（またはロー状態すなわち「０」）に等しい。結合手段３０にはまた、それぞれ送信機３２の端子３２２及び３２３に接続された２つの接続端子３０１及び３０２と、アンテナＡに接続された出力端子３０３とが含まれる。
【００１９】
結合手段３０には、アンテナＡと送信機３２の結合を行うことのできる位相遅れ回路４２と、アンテナＡが送信状態にある（またはない）時オン状態（またはオフ状態）になるようにトランジスタ３６の状態を制御することのできるスイッチング手段４３とが含まれる。この目的で、スイッチング回路４３には、コンデンサ４６、２つの抵抗５０及び５２、及び（この例ではＮ型チャネルの）電界効果トランジスタ４８が含まれる。
【００２０】
本質的に、トランジスタ４８の状態はトランジスタ３６の状態を制御するので、トランジスタ４８がオン状態（またはオフ状態）にある時、トランジスタ３６はオン状態（またはオフ状態）にある。この目的で、トランジスタ４８のゲート端子は抵抗５０を通じて結合手段３０の端子３０４に接続され、トランジスタ４８のオンまたはオフ状態へのスイッチングを制御することができる。電圧ＶＴが「０」（または「１」）に等しい場合、トランジスタ４８はオフ状態（またはオン状態）にあることに注意されたい。トランジスタ４８のソース端子はシステムの接地に接続される。ドレイン端子は結合手段３０の端子３０２に接続されると共に、抵抗５２を通じて電源端子に接続され、電源電圧Ｖｂを受け取ることができる。抵抗５２の値は好適には高いことに注意されたい。
【００２１】
コンデンサ４６は結合手段３０とシステムの接地の間に接続される。すなわち、それはトランジスタ４８のドレイン及びソース端子と並列に接続されている。当業技術分野に熟練した者が気付くように、コンデンサ４６は、アンテナが送信段階にある時、送信機３２から出たＲＦ電流電荷を接地に流すという利点がある。これによってこの電荷がトランジスタ４８を流れることが防止される。
【００２２】
位相遅れ回路４２には、それぞれ結合手段３０の端子３０１及び３０３に接続された２つの端子４２１及び４２２が含まれる。位相遅れ回路４２は、アンテナＡから送信機３２に向かって見たインピーダンスが、アンテナＡが送信段階にある時インピーダンス整合に対応し、アンテナＡが送信段階にない時開回路（高インピーダンス）に対応するよう配置される。この目的で、図５を参照すると、位相遅れ回路４２は好適にはインダクタンス５５と２つのコンデンサ５４及び５６から製作される。図３に関連して説明されたものと同一の図５の要素は同じ参符で示されていることに注意されたい。
【００２３】
図５が示すように、インダクタ５５は回路の端子４２１と４２２の間に接続される。コンデンサ５４はこの回路の端子４２１とシステムの接地の間に接続される。コンデンサ５６はこの回路の端子４２２とシステムの接地の間に接続される。
当業技術分野に熟練した者が気付くように、結合手段３０、送信機３２及び受信機３１は、１つの基板中にモノリシックに製作することができ、アンテナＡもこの基板中にモノリシックに製作することができる。
【００２４】
結合手段３０と送信機３２をモノリシックに製作することの利点は、その小型さ、電力消費とひいては費用が低いことのため、通信装置に適した集積構造を製作できることである。
この集積実施形態のもう１つの利点は、半導体基板上に製作するには扱いにくい構造である伝送線路が含まれないことである。
【００２５】
ここで図３を参照して、アンテナＡが送信段階にある（またはない）時のアンテナ装置２９中の結合手段３０の動作が説明される。
アンテナＡが送信段階にある事例を検討しよう。
結合手段３０は値が「１」の電圧ＶＴを受信し、トランジスタ４８は導通状態になる。その結果、トランジスタ３６のソース端子は、トランジスタ４８のソース及びドレイン端子間に存在する抵抗を通じてシステムの接地に接続される。すなわち、トランジスタ３６はオン状態であり、送信されるべきデータを含む電圧Ｖｄａｔａはトランジスタ３６、すなわちアンテナＡへのこのデータの供給を制御する。
【００２６】
当業技術分野に熟練した者が気付くように、トランジスタ４８は、ＲＦ電力がランプ波の形状を有するように、電圧ランプ波によって制御することができるが、これは特にいわゆるＴＤＭＡ（時分割多重アクセス）の場合必要である。
ここでアンテナＡが送信段階にない事例を検討しよう（この事例は特にアンテナＡが受信段階にある状況を対象とする）。
【００２７】
結合手段３０は値が「０」の電圧ＶＴを受信し、トランジスタ４８は非導通状態になる。その結果、トランジスタ３６のソース端末は、抵抗５２を通じて電源端子に接続されるので、この端子に存在する電圧はトランジスタ３６のドレイン端子に存在するものとほぼ等しい。さらに、後者のゲート端子はインピーダンス４０を通じてシステムの接地に接続されるので、ゲート端子とソース端子にかかる電圧はトランジスタ３６のしきい値電圧よりかなり低く、トランジスタ３６は非導通状態になる。すなわちトランジスタ３６は高出力インピーダンスを有する。従って、位相遅れ回路４２の端子４２１に存在するインピーダンスはハイであり、アンテナＡから送信機３２（すなわち端子３０３）に向かって見たインピーダンスは開回路のものに対応する。従って、受信段階では、アンテナＡによって受信されるデータは受信機３１の端子３１１のみに提供される。
【００２８】
結合手段３０の１つの利点は、送信段階で、送信機３２からアンテナＡへの無線周波信号の供給が、何ら電力損失を生じることなく制御できることである。アンテナＡが送信段階になければならない時、トランジスタ４８はオン状態にあり、トランジスタ３６のソース端子をシステムの接地に接続する。その結果、アンテナＡが送信しなければならないデータをトランジスタ３６が提供する時、電力損失は大きく低減される。これはアンテナが送信状態にある時送信機とアンテナ間の最適な結合（すなわち、電力損失が最小）を達成する。
【００２９】
この結合手段のもう１つの利点は、アンテナＡが送信段階にない時送信機の電力増幅器の出力トランジスタを阻止することである。その結果アンテナＡから送信機３２に向かって見たインピーダンスは開回路のもの（高インピーダンス）に理想的に対応し、送信段階にない時送信機をアンテナから完全に隔離する。別言すれば、これはアンテナが送信段階にない時、送信機とアンテナ間の最適な隔離を形成する。
【００３０】
結合手段３０の１つの利点は、アンテナＡが送信段階になければならない（または送信段階にある必要がない）時、トランジスタ３６を通じて送信すべき無線周波信号の供給を指令しつつ送信機３２とアンテナＡの結合を制御でき、追加構成要素に頼ることがないということである。
当業技術分野に熟練した者にとって言う迄もないことだが、上記の詳細な説明は、本発明の範囲から離れることなく、様々な修正、変形及び改善をすることができる。
【００３１】
代替実施形態として、位相遅れ回路４２が、４分の１波長型の送信線路によって形成されることがある。
やはり代替実施形態として、トランジスタ３６、４８及び３３がバイポーラ・トランジスタによって形成され、電圧源７４が電流源、すなわちトランジスタがオン状態になるように一定の信号を供給することのできる発生器によって置き換えられる。
【００３２】
改善として、トランジスタ４８はＮ型チャネルを有するように製作されるが、これは、トランジスタがオン状態にある時、そのドレインとソースの間に存在する抵抗が（電源端子に接続されたＰ型チャネルの電界効果トランジスタと比較して）高くないという利点を有する。すなわち、トランジスタ３６のソース端子に存在する電位はシステムの接地のそれにほぼ等しい。
【００３３】
やはり改善として、結合手段３０にはさらに、位相遅れ回路４２と送信機３２の間に接続された調整手段４４が含まれることがある。図３に関連して説明されたものと同様の図６の要素は同じ参符で示されていることに注意されたい。調整手段４４にはインダクタ５８とコンデンサ６０が含まれる。コンデンサ６０は位相遅れ回路４２と送信機Ｔの間に接続され、インダクタンス５８は、一方でコンデンサ６０及び位相遅れ回路４２に接続され、他方ではシステムの接地に接続される。インダクタ５８とコンデンサ６０は、アンテナＡが送信段階にない時、送信機３２の端子３２２と結合手段３０の端子３０３の間のＲＦエネルギーの転送を最適化する（すなわち、ＲＦ電力損失を最小化する）ように形成される。
【００３４】
調整手段４４の１つの利点は、製造に起因する位相遅れ回路４２のパラメータの変化が克服されるので、アンテナＡが送信段階にない（すなわち受信段階にある）時、アンテナＡから送信機３２（すなわち端子３０３）に向かって見たインピーダンスが開回路（高インピーダンス）のものに完全に対応することである。やはり改善として、送信機３２にはさらに、高インピーダンス４０とシステムの接地の間に直列に接続された電圧源７４が含まれることがある。図３に関連して説明されたものと同様の図７の要素は同じ参符で示されていることに注意されたい。電圧源７４は、トランジスタ３６のゲート端子とシステムの接地の間に存在する電圧がこのトランジスタのしきい値電圧Ｖｔｈより高くなるような一定の電圧Ｖｂｉａｓを提供することができるように配置されている。すなわち、電圧Ｖｂｉａｓの一定の値はしきい値電圧Ｖｔｈに依存し、例えば、しきい値電圧Ｖｔｈが高い場合高い電圧レベルに等しい。
【００３５】
電圧源７４を配置することの１つの利点は、それによってトランジスタ３６が送信段階で導通すること、すなわち無線周波信号がアンテナＡに提供されることが保証されることである。
やはり改善として、結合手段３０のトランジスタ４８が、前置増幅器３３を制御する、すなわち、後者が電界効果トランジスタによって形成されている場合、オフ状態またはオン状態へのトランジスタのスイッチングを制御することもある。この目的で、送信機３２にはさらに、インダクタ３８ａ、高インピーダンス４０ａ及びコンデンサ３４ａが含まれることがあり、これらの構成要素は、前記アンテナＡが送信段階にある（またはない）時、スイッチング手段４３が前置増幅器３３を起動状態（または停止状態）に切り換えられるように配置される。図３に関連して説明されたものと同様の図８の要素は同じ参符で示されていることに注意されたい。前置増幅器３３を形成する（この例ではＮ型チャネルを有する）トランジスタは、コンデンサ３４ａを通じて端子３２１に接続されると共に高インピーダンス４０ａを通じてシステムの接地に接続されるゲート端子、トランジスタ３６のソース端子に接続されるソース端子、及びコンデンサ３４に接続されると共にインダクタ３８ａを通じて電源端子に接続されるドレイン端子を有する。当業技術分野に熟練した者が気付くように、この改善された実施形態では、結合手段のコンデンサ４６はトランジスタ３６及び前置増幅器３３に近接して配置される。
【００３６】
アンテナ２９のこの配置の１つの利点は、前置増幅器３３とトランジスタ３６が同時に制御できることである。これによってアンテナＡが送信段階にない時前置増幅器３３による不必要な電力消費が防止される。さらに、前置増幅器３３の制御が追加制御回路に頼ることなく達成できることに注意されたい。
【図面の簡単な説明】
【図１】先行技術によるアンテナ装置を示す。
【図２】図１のアンテナ装置に取り付けることのできる従来の制御回路を示す。
【図３】アンテナ、受信機、送信機及び結合手段を含む、本発明によるアンテナ装置の好適実施形態を示す。
【図４】図３の受信機の実施形態を示す。
【図５】図３の結合手段の回路を示す。
【図６】図３のアンテナ装置の第１改善例を示す。
【図７】図３のアンテナ装置の第２改善例を示す。
【図８】図３のアンテナ装置の第３改善例を示す。
【符号の説明】
３０…結合手段
３１…受信機
３２…送信機
【図１】
0004249367.tif 000002
【図２】
0004249367.tif 000003
【図３】
0004249367.tif 000004
【図４】
0004249367.tif 000005
【図５】
0004249367.tif 000006
【図６】
0004249367.tif 000007
【図７】
0004249367.tif 000008
【図８】
0004249367.tif 000009